(57)【特許請求の範囲】
【請求項１】
内部にキャビティを形成するように開閉可能に構成された２つの分割型の少なくとも一方の分割面にパッキンが設けられた成形用金型であって、
前記パッキンは、その少なくとも一部が前記分割面から突出する状態で設けられ、
前記パッキンの突出表面には、キャビティ内のガスを排出するガス排出路としてのパッキン溝部が形成され、
前記パッキン溝部は、その底部が前記分割面を越える深さに形成されたことを特徴とする成形用金型。
【請求項２】
前記分割型の分割面には、
前記キャビティから金型外方に向かって伸長し前記パッキン溝部に連通する金型溝部が形成されたことを特徴とする請求項１に記載の成形用金型。
【請求項３】
前記パッキン溝部は、
前記分割面の平面視において、前記金型溝部の幅よりも小さい幅に形成されていることを特徴とする請求項２に記載の成形用金型。
【請求項４】
前記パッキン溝部は、
前記パッキンの全域に略均等に配置されたことを特徴とする請求項１〜３の何れか１項に記載の成形用金型。
【請求項５】
請求項１〜４の何れか１項に記載の成形用金型を用いて、
前記分割型の開放状態で発泡材料を投入し、
前記分割型を閉じて、前記パッキン溝部によりキャビティ内のガス排出を行いつつ前記発泡材料の発泡成形を行うことを特徴とする発泡成形体の製造方法。
【発明の詳細な説明】
【技術分野】
【０００１】
本発明は、成形用金型、及び成形用金型を用いた発泡成形体の製造方法に関し、特に、内部にキャビティを形成するように開閉可能に構成された２つの分割型の一方の分割面にキャビティの周囲を囲ってパッキンが設けられた成形用金型、及びこの成形用金型を用いてシートパッド等の発泡成形体を製造する方法に関する。
【背景技術】
【０００２】
従来より、自動車等の車両に用いられるシートパッドなどの発泡成形体は、軟質ポリウレタンフォームなどの合成樹脂発泡材料を上型と下型等の２つの分割型により形成される金型キャビティ内に供給し、このキャビティを密閉して内部の発泡材料を発泡させて成形し製造される。
【０００３】
このような成形用金型においては、発泡成形体の安定した製品形状を得るために、発泡成形時に発生する発泡ガスやキャビティ内に残存する空気をキャビティ外部に排出するガス排出を行い、発泡成形体の欠肉やボイド（空気溜まり）の発生を防止する必要がある。キャビティ内のガスを排出する技術として、金型の２つの分割型の何れか一方の分割面に、キャビティから金型外方に伸長する金型溝部を形成することが知られている（例えば、特許文献１参照）。これにより、金型を使用して発泡成形体を製造する際には、キャビティ内に発生するガスが溝部から排出される。
【０００４】
一方で、金型の分割面においてキャビティを囲ってパッキンを設ける技術が知られている（例えば、特許文献２参照）。この技術によれば、金型の分割面における密封性を高め、キャビティ内部から発泡材料が漏れ出してしまうことによるバリの多量発生を防ぎ、発泡成形品の品質の低下を防止している。しかし、この技術においては、キャビティの密封性が高まる反面、ガス排出量が十分に確保されなくなる恐れがあると考えられる。
【先行技術文献】
【特許文献】
【０００５】
【特許文献１】特開２００３−１８１８３９号公報
【特許文献２】特開２００６−３５５９０号公報
【発明の概要】
【発明が解決しようとする課題】
【０００６】
ところが、上述の特許文献１等に記載されている金型に金型溝部を形成する技術では、分割面におけるキャビティの密封性が不十分であり、発泡材料の分割面、特に金型溝部への浸入量が多くなり、結果として、最終的な発泡製品の質の低下が懸念される。また、バリも発生しやすく後処理が必要となることも考えられる。
【０００７】
一方、キャビティの周囲においてパッキンが無い部分を一部形成した金型では、パッキンがある部分とパッキン切欠き部においてに大きな圧力差が生じるため、パッキンの切欠き部からガスが多量に抜けてしまい、このパッキンの切欠き部に発泡材料が多く浸入して発泡成形体の品質に悪影響を与える可能性が考えられる。これに対して、パッキンの切欠き部を小さくしてガス排出量を抑えることも考えられるが、その場合ガス抜けが不十分となり、成形体に欠肉やボイドが発生しやすくなってしまうことがあった。すなわち、従来の技術では、キャビティ内のガス排出量を適正に制御するという点に大きな課題を有していた。
【０００８】
本発明は、このような事情に鑑みてなされたものであり、その目的は、キャビティの密封性を維持しつつ適正な量のガス抜きを可能として成形体の品質の低下を防止することのできる成形用金型、及び該成形用金型を用いた発泡成形体の製造方法を提供することにある。
【課題を解決するための手段】
【０００９】
上記課題を解決するために請求項１に記載の成形用金型は、内部にキャビティを形成するように開閉可能に構成された２つの分割型の少なくとも一方の分割面にパッキンが設けられた成形用金型であって、前記パッキンは、前記分割面から少なくとも一部が突出する状態で設けられており、前記パッキンの突出表面には、キャビティ内のガスを排出するガス排出路としてのパッキン溝部が形成され、前記パッキン溝部は、その底部が前記分割面を越える深さに形成されたことを特徴とする。
【００１０】
本発明にかかる成形用金型によれば、成形用金型のキャビティの周囲を囲ってパッキンを設けて密封性を確保する一方で、この密封性を維持する目的で使用されるパッキンに溝部を形成しガス排出路を形成している。これにより、キャビティの密封性を維持して発泡材料の分割面間への多量の浸入を抑えつつ、パッキン溝部によりガスの抜け道を確保しガス排出量を適正に維持することができる。従って、欠肉部の発生による発泡成形体の品質への悪影響を防止することができ、バリ除去等の後処理の煩雑化も防止される。
【００１１】
特に、パッキンは一般的に弾性材料や可撓性材料で形成されているので、パッキン溝部を設ける加工も低コスト且つ容易な作業で行うことができる。従って、発泡材料の原料条件や金型温度等の種々の条件に応じて決まる所望のガス抜き量に合わせて、金型を加工することなくパッキンに形成する溝部の大きさを調節するだけでガス抜き量の制御を容易且つ低コストに行うことができる。
【００１２】
請求項２に記載の発明は、請求項１に記載の成形用金型において、前記分割型の分割面には、前記キャビティから金型外方に向かって伸長し前記パッキン溝部に連通する金型溝部が形成されたことを特徴とする。
【００１３】
これによれば、パッキン溝部と金型の溝部が一体となった通路として形成されるので、金型溝部を介してパッキン溝部からガスを排出させることとなるためガスの排出効果を高めることができる。特に、分割面間へ押し出される発泡材料を排出ガス流によって金型溝部に集中させることができる。従って、発泡材料の分割面間への浸入を局所的なものとすることができるので、成形体に発生するバリも上記金型溝部の位置に対応した局所的となり、後処理が極めて容易となる。
【００１４】
請求項３に記載の発明は、請求項２に記載の成形用金型において、前記パッキン溝部は、前記分割面の平面視において、前記金型溝部の幅よりも小さい幅に形成されていることを特徴とする。これによれば、ガス排出量が過剰に多くなってしまうことをより確実に防止し、適度なガス排出量を維持し成形性を高めることができる。
【００１５】
請求項４に記載の発明は、請求項１〜３の何れか１項に記載の成形用金型において、前記パッキン溝部は、前記パッキンの全域に略均等に配置されたことを特徴とする。
【００１６】
これによれば、キャビティ内全体から略一様にガス抜きを行うことができる。すなわち、キャビティ内の圧力分布の偏りを防止することができ、成形体に局所的な大きなバリが発生することを防止しつつ、より効率的なガス排出を図ることができる。
【００１７】
請求項５に記載の発泡成形体の製造方法は、請求項１〜４の何れか１項に記載の成形用金型を用いて、前記分割型の開放状態で発泡材料を投入し、前記分割型を閉じて、前記パッキン溝部によりキャビティ内のガス排出を行いつつ前記発泡材料の発泡成形を行うことを特徴とする。
【００１８】
本発明によると、キャビティ内の密封性を保ちつつ適切な量のガス抜けを可能とする請求項１〜４に記載の成形用金型を用いてパッキン溝部によりキャビティ内ガスを排出しつつ発泡材料の発泡成形を行うことで、後処理の煩雑化を防止できるとともに、ガス残りによる欠肉部の発生を抑制することができ、良質な成形体製品を得ることができる。
【発明の効果】
【００１９】
本発明にかかる成形用金型によれば、キャビティの密封性を確保するためのパッキンが配され、この密封性を確保するためのパッキンに敢えて溝部を形成しガス排出路を形成している。すなわち、キャビティの密封性を維持することによる発泡材料の分割面間への多量の浸入の抑制とともに、適正なガス排出量の維持を達成することができる。従って、欠肉部の発生による発泡成形体の品質への悪影響を防止することができ、バリ除去等の後処理の煩雑化も防止される。
【００２０】
また、パッキン溝部を設ける加工も低コスト且つ容易に行うことができるので、金型への加工を必要とすることなく、種々の成形条件に応じて決まる所望のガス抜き量に合わせてパッキンに形成する溝部の大きさを調節して、ガス抜き量の制御を容易且つ低コストに行うことができる。
【図面の簡単な説明】
【００２１】
【図１】本実施の形態に係る成形用金型の構成を説明する図である。
【図２】成形用金型の要部構成を詳細に説明する図である。
【図３】図２のＡ−Ａ線概略断面図である。
【図４】（Ａ）は図２をＢ方向から視た図であり、（Ｂ）は（Ａ）の要部拡大図である。
【図５】（Ａ）は、発泡成形時における金型の使用状態を示しており、（Ｂ）は、そのパッキン１６部分を拡大図を示している。
【図６】比較例の成形用金型の構成を説明する図である。
【発明を実施するための形態】
【００２２】
以下、本発明に係る実施の形態を図面を参照して詳細に説明する。図１（Ａ）は、本実施の形態に係る成形用金型を概略的に示したものである。図示のように、成形用金型１０は、ヒンジ７０により開閉可能に構成された２つの分割型１２、１４を備えている。これら分割型１２、１４は、発泡材料Ｐが投入される成形空間としてのキャビティＣを形成する。そして、分割型（下型）１２の分割面１８には、キャビティＣの周囲を囲うようにパッキン１６が設けられている。
【００２３】
パッキン１６は例えば、ニトリルゴムやフッ素ゴム等のゴム材料やフッ素樹脂等の樹脂材料など弾性又は可撓性を備えた公知の材料で形成されている。このパッキン１６は、その基端部分１６ａが分割型１２の分割面１８に一部埋設され、その上部部分１６ｂが分割面１８に対して突出した状態で設けられている。この構成により、パッキン１６は、分割型１２、１４が閉じられると分割型（上型）１４の分割面２０に上部部分１６ｂが押圧され変形することで、２つの分割型１２、１４の分割面１８、２０間を密封する機能を果たす。
【００２４】
なお、パッキン１６は分割面１８から突出していれば、その一部が分割面１８に埋設される必要は無く、パッキン１６を例えば、所定の接着手段を用いて分割面１８に載せるように取り付けても良い。
【００２５】
以下、発泡材料の発泡、成形過程で発生するキャビティＣ内のガス抜きを行うために、分割型１２やパッキン１６に形成される本実施の形態の特徴的構成について説明する。
【００２６】
図２は、成形用金型１０の特徴的構成を説明する分割型１２の概略平面視図であり、図３は、図２のＡ−Ａ線における概略断面図である。図示のように、分割面１８に深さＤ１のパッキン収容凹部１２ｂが形成されており、このパッキン収容凹部１２ｂにパッキン１６が一部収容された状態で設けられている。
【００２７】
そして、パッキン１６の分割面１８から突出した表面部分には、ガス排出通路としてパッキン溝部２２が該パッキン１６の伸長方向に沿って複数形成されている。本実施の形態では、平面視略矩形状に形成されたキャビティＣの各辺に対応するパッキン１６に、その長辺部に４つ及び短辺部に３つのパッキン溝部２２がそれぞれ設けられている。そして、これらパッキン溝部２２は上記各辺部上で略等間隔に配置されており、結果としてパッキン１６の全域に略均等に配置された状態となっている。また、パッキン溝部２２は、平面視略矩形のパッキン１６の各辺の伸長方向に対して略直交して伸長するように形成されている。なお、パッキン溝部２２は、その平面視における幅Ｗ１が１〜３０ｍｍに設定され、その深さＤ２はパッキン１６の高さＨ１の３０〜９０％程度に設定されることが好ましい。
【００２８】
上記構成によれば、キャビティＣの周囲を囲ってパッキン１６を設けることでキャビティＣの密封性が確保される一方で、この密封性を維持する目的で使用されるパッキン１６に形成したパッキン溝部２２によりガスの排出路を確保している。
【００２９】
従って、キャビティＣの密封性を維持して発泡材料Ｐの分割面１８、２０間への多量の浸入を抑えつつ、ガス排出量を適正に維持することができるので、欠肉部の発生による発泡成形体の品質への悪影響を防止することができ、バリ除去等の後処理の煩雑化も防止される。
【００３０】
特に、パッキン溝部２２は、上述のようにパッキン１６の全域において略均等に複数形成されている場合には、キャビティＣ内全域から略一様にガス排出を行うことができる。すなわち、キャビティＣ内の圧力分布の偏りを抑え、より効率的なガス排出を図ることができる。なお、パッキン溝部２２の数や配置位置は、上記形態に限定されるものではなく、成形条件や金型の規模等の種々の条件に応じて適宜変更が可能である。
【００３１】
また、本実施の形態では、分割型１２の分割面１８に、キャビティＣ内部から金型外方に向かって伸びる金型溝部としてのベンチレータ２４が各パッキン溝部２２に連通するように形成されている。このベンチレータ２４は、基本的にはキャビティＣ内から分割面１８、２０間に発泡材料を浸入させるとともに、ガス排出路としてパッキン溝部２２を補助する機能を果たす。ベンチレータ２４の深さＤ３は、０.２ｍｍ〜１．０ｍｍに設定されることが好ましく、特に０．３〜０．８ｍｍに設定されることがより好ましい。また、ベンチレータ２４の平面視における幅Ｗ２は、２〜３０ｍｍに設定されることが好ましい。
【００３２】
従って、パッキン溝部２２及びベンチレータ２４が一体のガス排出路を形成することとなるので、キャビティＣ内のガス排出効果を高めることができる。特に、ベンチレータ２４がガス排出路となっていることから、ベンチレータ２４に流れ込むガス流による力で、発泡材料Ｐの分割面１８、２０間への浸入をベンチレータ２４に集中させることができる。従って、発泡材料Ｐの分割面１８、２０間への浸入をベンチレータ２４の部分への局所的なものとすることができるので、成形体に発生するバリもベンチレータ２４の位置に対応した局所的となり、バリ除去の後処理が極めて容易となる。
【００３３】
なお、本実施の形態においては、ベンチレータ２４が、キャビティＣ内部からパッキン１６を介して金型１０の外部にまで連通するように伸長していることによって、パッキン溝部２２を通るガスは、ベンチレータ２４におけるパッキン１６よりも金型外方側の位置にある部分２４ａを通って金型１０外部に排出される。すなわち、ベンチレータ２４が、パッキン溝部２２のガス排出機能をより効率的に補助することができる。
【００３４】
更に、本実施の形態では、分割型１２の平面視において、パッキン溝部２２の幅Ｗ１が、ガス抜き用のベンチレータ２４の幅Ｗ２よりも小さい幅に形成されている。これによれば、キャビティＣ内部からベンチレータ２４に流れ込むガスがパッキン溝部２２の部分で一度絞られることとなるので、ガス排出量が過剰に多くなってしまうことをより確実に防止し、適度なガス排出量を維持し成形性を高めることができる。
【００３５】
図４（Ａ）は、成形用金型１０を、図３におけるＡ方向（金型側面方向）から視た状態を概略的に示した図であり、図４（Ｂ）は、図４（Ａ）の要部拡大図（丸囲み部分）である。なお、図４（Ｂ）における一点鎖線は、分割面１８の高さ位置と同高さ位置を示すものである。
【００３６】
図示のように、パッキン１６のパッキン溝部２２は、その底部２２ａが分割型１２の分割面１８を越えて伸長する深さに形成されている。これにより、成形用金型１０が閉じられて分割型１４によりパッキン１６が押圧されて変形した状態となった場合においても、パッキン溝部２２が潰れてしまうこと無くより確実に確保される。従って、キャビティＣ内のガス排出をより安定して行うことができる。更に、本実施の形態では、パッキン溝部２２が、ベンチレータ２４の底部２４ｂには到達しない深さに形成されている。これにより、パッキン溝部２２が大きくなって、ガス排出路が必要以上に大きくなってしまうことによるガスの抜け過ぎを防止して、より確実に適度なガス排出量を達成し成形性を高めることができる。
【００３７】
上述のように、本実施の形態では、パッキン１６のシール性によりキャビティＣの密封状態を確保しつつ、この密封状態を維持するためのパッキン１６に敢えてパッキン溝部２２を形成し、このパッキン溝部２２によりガス排出を行うようにしたことで、極めて成形性の高い（ボイドや欠肉部の無い）優れた成形製品が得られる。
【００３８】
図５（Ａ）は、上記構成を有する成形用金型１０を用いて発泡材料Ｐを発泡成形している状態を示す図であり、図５（Ｂ）は、パッキン１６部分の拡大図である。図から理解されるように、分割面１８、２０間で変形したパッキン１６によりキャビティＣ内の密封性が確保されており、この状態でパッキン溝部２２及びベンチレータ２４からガス排出が行われつつ、発泡成形が行われる。なお、成形用金型１０の閉塞状態において、パッキン溝部２２の底部２２ａと上型である分割型１４の表面１４ａとの間の隙間Ｈ２が、０．３ｍｍ〜０．８ｍｍ程度となるように、パッキン溝部２２の深さ等の各寸法が調整されることが好ましい。
【００３９】
また、本実施の形態では、発泡材料の原料条件や金型温度等の種々の条件に合わせて、特殊な加工を行うこと無くパッキン溝部２２の幅（Ｗ１）や深さ（Ｄ２）等の大きさを調整することができ、発泡材料の原料条件や金型温度等の種々の条件に合わせて、容易にガス排出量を適量にコントロールすることができる。従って、例えば、同じ成形用金型１０を用いて成形を行う対象の発泡材料の種類を変更した場合などのガス排出量を増加させる必要がある場合、パッキン溝部２２の大きさを広げる（パッキン１６により大きく切り込みを入れる）等の加工を行い、ガスの通過面積を変更しガス排出量を増加させることができる。なお、パッキン溝部２２の大きさの変更は、パッキン１６全体を交換することで行うようにしても良い。これにより、パッキン溝部２２の大きさの調節をより簡単に行うことができる。
【００４０】
また、パッキン１６による良好なシール性の確保するために、パッキン１６全体の体積は、成形用金型１０の閉塞状態において上記パッキン収容凹部１２ｂに収容されるパッキン１６の部分の体積に対して若干大きい程度に設定することが好ましい。
【実施例】
【００４１】
以下、本発明にかかる成形用金型１０を用いて製造した発泡成形体と、従来の成形用金型を用いて製造した発泡成形体との比較を行う。
【００４２】
（比較例）
図６に示すように、成形用金型１００の分割面１０１において、キャビティＣの周囲にパッキン１０２を設けた。このパッキン１０２に、一部切欠き部分１０４を形成し、この切欠き部分１０４でガス排出を行うようにした。なお、パッキン１０２の切欠き部分１０４の平面視におけるにおける幅Ｗ３は、２５ｍｍであった。
【００４３】
この成形用金型１００を用いて製造した製品５０個の内、２３個は不良品であった。特に、パッキン１０２の切欠き部分１０４において過剰のガス抜けによる発泡材料の分割面間への浸入量が多くなり、多くの製品についてバリ除去の後処理が煩雑であった。
【００４４】
（実施例）
上記実施の形態における成形用金型１０において、パッキン１６の高さＨ１（図３、図４参照）を７ｍｍ、パッキン溝部２２の平面視における幅Ｗ１を５ｍｍ、深さＤ２を３ｍｍに形成した。一方、成形用金型１０の分割面１８に形成されるベンチレータ２４の幅Ｗ２は５ｍｍ、深さＤ３は０．５ｍｍに形成し、パッキン収容凹部１２ｂの深さＤ１を４．０ｍｍに形成した。なお、このように、パッキン溝部２２及びベンチレータ２４の各寸法を設定したことにより、パッキン溝部２２の底部２２ａとベンチレータ２４の底部２４ｂはそれらの深さ方向においてほぼ面一となった。
【００４５】
なお、成形用金型１０において、パッキン１６やベンチレータ２４の大きさ以外に関する構成で、求められるガス排出の量及び発泡材料の分割面への浸入量に影響すると考えられるもの（キャビティの大きさ、金型全体の大きさ、及びパッキンの材質等）は、比較例の金型１００とほぼ同一とした。すなわち、これは、本実施例の成形用金型１０と比較例の金型１００との間におけるガス排出量及び発泡材料の分割面への浸入量の違いが、パッキン１６及びベンチレータ２４の構成上の差異に起因するものであることを極力明確にするような条件を設定したものである。
【００４６】
この成形用金型１０を用いて発泡材料Ｐの成形を行ったところ、欠肉部やボイドの発生が抑えられる上に、バリの発生もベンチレータ２４の部分に局所的に集中させることができた。この成形用金型１００を用いた成形では、製造した製品５０個の内、不良品を１個とすることができた。従って、上記比較例に対して４４％の不良品の減少に成功した。
【００４７】
なお、本発明は、上記実施の形態に限定されるものではなく、発明の要旨の範囲内で種々の変更が可能である。例えば、パッキン１６のパッキン溝部２２、及び金型１０のベンチレータ２４の幅（Ｗ１、Ｗ２）や深さ等の寸法や形状は、発泡材料Ｐの原料条件や金型温度等の種々の成形条件に合わせて適宜変更が可能である。
【００４８】
また、ベンチレータ２４は、少なくともキャビティＣ内部と連通して金型外方に向かって伸長するように形成すれば、任意の長さに形成することが可能である。例えば、本実施の形態では、キャビティＣ内部からパッキン溝部２２を介して金型１０の外部にまで連通する長さに形成されているが、これに限られるものではなく、金型１０の外部にまでは到達しない長さに形成しても良い。
【００４９】
更に、本実施の形態では、パッキン溝部２２を有するパッキン１６やベンチレータ２４を下型である分割型１２に設けているが、これらを上型である分割型１４に適用するようにしても良い。また、パッキン１６やベンチレータ２４を、上型である分割型１４、及び下型である分割型１２の双方に設けても良いし、更に、１個の分割型の分割面に複数のパッキン１６を並設するようにしても良い。
【００５０】
また、本実施の形態では図２に示すように、パッキン溝部２２が平面視略矩形状のパッキン１６における一辺の伸長方向に対して略直交するように形成されているがこれに限られるものではなく、パッキン溝部２２がガス排出路としての機能を果たすことができるならば、例えば、パッキン１６の上記伸長方向に対して直交すること無く交差して伸長するようにパッキン溝部２２を形成しても良い。
【００５１】
更に、ベンチレータ２４は、本発明の必須の構成部材ではなく、成形用金型１０を、ベンチレータ２４を形成すること無く構成しても良い。
【符号の説明】
【００５２】
１０      成形用金型
１２      分割型
１４      分割型
１６      パッキン
１８      分割面
２２      パッキン溝部
２４      ベンチレータ（金型溝部）
Ｃ        キャビティ
Ｐ        発泡材料
【図１】
0005638828.tif 000002
【図２】
0005638828.tif 000003
【図３】
0005638828.tif 000004
【図４】
0005638828.tif 000005
【図５】
0005638828.tif 000006
【図６】
0005638828.tif 000007